(57)【要約】【課題】ユーザが所望の大きさ及び配置で画像を閲覧することができるようにする。【解決手段】記録媒体に記録されている画像データに係る画像を表示する画像表示装置であって、選択された複数画像の順位付けを行う順位決定部１２と、前記選択された複数画像の画像サイズを変更する画像サイズ変更部２ｂと、前記画像サイズ変更部２ｂにより画像サイズが変更された画像を、表示部６が表示可能な表示領域内で、移動、回転させて配置する画像配置部５ｃと、画像が重複しているときに、順位決定部１２により決定された順位付けが高い画像を優先して表示させる画像重複処理部５ｄとを備え、表示部６は、画像重複処理部５ｄにより処理された複数画像を表示する。【選択図】図１
2006084735.tif 000002
【特許請求の範囲】
【請求項１】
画像を表示する表示手段と、画像表示を制御する表示制御手段と、画像処理を行う画像処理手段と、画像データを記録する記録手段と、画像データを一時記憶する一時記憶手段と、画像データを圧縮伸長する圧縮伸長手段と、を備える画像表示装置であって、
選択された複数画像の順位付けを行う順位決定手段と、
前記選択された複数画像の画像サイズを変更する画像サイズ変更手段と、
前記画像サイズ変更手段により画像サイズが変更された画像を、前記表示手段が表示可能な表示領域内で、移動、回転させて配置する画像配置手段と、
画像が重複しているときに、前記順位決定手段により決定された順位付けが高い画像を優先して表示させるための処理を行う画像重複処理手段と、
ユーザの指示に応じて、複数画像を縦横に配列して表示するサムネイル表示との切り替えを行う表示切替手段と、
を備え、
前記表示手段は、前記画像重複処理手段により処理された複数画像を表示する、
ことを特徴とする画像表示装置。
【請求項２】
指示を行うための指示手段と、
前記指示手段により指示された位置の座標を検出する座標検出手段と、
前記座標検出手段により検出された座標に対応する位置に存する画像を特定する画像特定手段と、
前記画像特定手段により画像が特定されたときの位置に対応する座標が前記座標検出手段により検出されてから続けて該座標に連続的に変化する座標が前記座標検出手段により検出されたときに、前記画像特定手段により画像が特定されたときの位置に対応する座標から該座標に連続的に変化した座標までの移動量と方向とを検出するドラック量検出手段と、
前記ドラック量検出手段により検出された移動量と方向とから、前記画像特定手段により特定された画像を、前記表示手段が表示可能な表示領域内で移動させる画像移動手段と、
前記座標検出手段により検出された座標に対応する位置が画像の四隅であるときに画像回転処理を行う画像回転手段と、
を更に備え、
前記表示手段は、前記画像移動手段により移動させられた画像、又は及び、前記画像回転手段により画像回転処理が行われた画像を表示する、
ことを特徴とする請求項１記載の画像表示装置。
【請求項３】
前記画像処理手段によって生成された画像を新しいファイルとして前記記録媒体に記録する、
ことを特徴とする請求項１又は２記載の画像表示装置。
【請求項４】
前記順位決定手段は、前記選択された複数画像の順位付けをランダムに行う、
ことを特徴とする請求項１乃至３の何れか一項記載の画像表示装置。
【請求項５】
前記画像サイズ変更手段は、前記選択された複数画像の画像サイズをランダムに変更する、
ことを特徴とする請求項１乃至４の何れか一項記載の画像表示装置。
【請求項６】
前記選択された複数画像は、前記記録媒体からランダムに抽出された画像データに係る画像である、
ことを特徴とする請求項１乃至５の何れか一項記載の画像表示装置。
【請求項７】
前記表示手段に、前記画像特定手段により特定された画像が拡大表示されると共に他の画像が縮小表示される、
ことを特徴とする請求項２乃至６の何れか一項記載の画像表示装置。
【請求項８】
画像データに係る画像ファイルに含まれる付属情報を基にサムネイル画像を並び替える並び替え手段を更に備え、
前記並び替え手段は、第１の情報を有する付属情報を含む画像ファイルに係るサムネイル画像を前記第１の情報を基に並び替えた後、続けて、前記第１の情報を有しない付属情報を含む画像ファイルに係るサムネイル画像を日付情報を基に並び替える、
ことを特徴とする請求項１乃至７の何れか一項記載の画像表示装置。
【請求項９】
当該画像表示装置は、パーソナルコンピュータ、携帯電話機、携帯情報端末装置、ビデオカメラ、デジタルスチルカメラ、携帯音楽プレーヤーの何れか一つである、
ことを特徴とする請求項１乃至８の何れか一項記載の画像表示装置。
【請求項１０】
画像を表示する表示手段と、画像表示を制御する表示制御手段と、画像処理を行う画像処理手段と、画像データを記録する記録手段と、画像データを一時記憶する一時記憶手段と、画像データを圧縮伸長する圧縮伸長手段と、を備える画像表示装置の画像表示方法であって、
選択された複数画像の順位付けを行い、
前記選択された複数画像の画像サイズを変更し、
前記画像サイズが変更された画像を、前記表示手段が表示可能な表示領域内で、移動、回転させて配置し、
画像が重複しているときに、前記順位付けが高い画像を優先して表示させるための画像重複処理を行い、
前記画像重複処理が行われた複数画像を前記表示手段に表示させる、
ことを特徴とする画像表示方法。
【請求項１１】
更に、
ユーザの指示に応じて、複数画像を縦横に配列して表示するサムネイル表示との切り替えを行う、
ことを特徴とする請求項１０記載の画像表示方法。
【請求項１２】
更に、
指示された位置の座標を検出し、
前記検出された座標に対応する位置に存する画像を特定し、
前記画像が特定されたときの位置に対応する座標が検出されてから続けて該座標に連続的に変化する座標が検出されたときは、前記画像が特定されたときの位置に対応する座標から該座標に連続的に変化した座標までの移動量と方向とを検出し、
前記検出された移動量と方向とから、前記特定された画像を、前記表示手段が表示可能な表示領域内で移動させ、
前記検出された座標に対応する位置が画像の四隅であるときは、画像回転処理を行い、
前記移動させられた画像、又は及び、前記画像回転処理が行われた画像を、前記表示手段に表示させる、
ことを特徴とする請求項１０又は１１記載の画像表示方法。
【請求項１３】
更に、
前記画像処理手段によって生成された画像を新しいファイルとして前記記録媒体に記録する、
ことを特徴とする請求項１０乃至１２の何れか一項記載の画像表示方法。
【請求項１４】
前記選択された複数画像の順位付けをランダムに行う、
ことを特徴とする請求項１０乃至１３の何れか一項記載の画像表示方法。
【請求項１５】
前記選択された複数画像の画像サイズの変更をランダムに行う、
ことを特徴とする請求項１０乃至１４の何れか一項記載の画像表示方法。
【請求項１６】
前記選択された複数画像は、前記記録媒体からランダムに抽出された画像データに係る画像である、
ことを特徴とする請求項１０乃至１５の何れか一項記載の画像表示方法。
【請求項１７】
更に、
前記特定された画像を拡大表示すると共に他の画像を縮小表示する、
ことを特徴とする請求項１２乃至１６の何れか一項記載の画像表示方法。
【請求項１８】
更に、
画像データに係る画像ファイルに含まれる付属情報を基にサムネイル画像を並び替える場合に、第１の情報を有する付属情報を含む画像ファイルに係るサムネイル画像を前記第１の情報を基に並び替えた後、続けて、前記第１の情報を有しない付属情報を含む画像ファイルに係るサムネイル画像を日付情報を基に並び替える、
ことを特徴とする請求項１０乃至１７の何れか一項記載の画像表示方法。
【発明の詳細な説明】
【技術分野】
【０００１】
本発明は、画像を表示する装置及び方法に関する。
【背景技術】
【０００２】
従来、画像表示装置では、記録媒体に記録されている画像を容易に確認できるように、縮小画像を縦横に一定数整列させて表示する方法（サムネイル表示）がある。この表示方法では、例えば、表示画面に３×３コ或いは４×４コの縮小画像を表示し、一画面上に９枚或いは１６枚の縮小画像を表示する。これにより、ユーザは、一目で多数の画像を確認でき画像検索を容易に行うことができるようになっている。尚、画像検索を容易に行う他の方法としては、画像の付加データであるメタデータに基づいて画像検索を行う方法もある。
【０００３】
また、画像サイズの縦横比が任意であっても表示画面に収まるよう画像サイズを自動調整して表示する画像表示装置もある（特許文献１参照）。
【特許文献１】特開２０００−４０１４２号公報
【発明の開示】
【発明が解決しようとする課題】
【０００４】
しかしながら、この特許文献１に係る装置も含め従来の画像表示装置では、一画面上に複数の画像を表示する際に、それらを予め定められた大きさ及び配置でしか表示することができず、ユーザは所望の大きさ及び配置で画像を閲覧することができなかった。
【０００５】
本発明は、上記実情に鑑み、ユーザが所望の大きさ及び配置で画像を閲覧することができる、画像表示装置及び画像表示方法を提供することを目的とする。
【課題を解決するための手段】
【０００６】
上記目的を達成するため、本発明の第１の態様に係る画像表示装置は、画像を表示する表示手段と、画像表示を制御する表示制御手段と、画像処理を行う画像処理手段と、画像データを記録する記録手段と、画像データを一時記憶する一時記憶手段と、画像データを圧縮伸長する圧縮伸長手段と、を備える画像表示装置であって、選択された複数画像の順位付けを行う順位決定手段と、前記選択された複数画像の画像サイズを変更する画像サイズ変更手段と、前記画像サイズ変更手段により画像サイズが変更された画像を、前記表示手段が表示可能な表示領域内で、移動、回転させて配置する画像配置手段と、画像が重複しているときに、前記順位決定手段により決定された順位付けが高い画像を優先して表示させるための処理を行う画像重複処理手段と、ユーザの指示に応じて、複数画像を縦横に配列して表示するサムネイル表示との切り替えを行う表示切替手段と、を備え、前記表示手段は、前記画像重複処理手段により処理された複数画像を表示する、構成である。
【０００７】
本発明の第２の態様に係る画像表示装置は、前記第１の態様において、指示を行うための指示手段と、前記指示手段により指示された位置の座標を検出する座標検出手段と、前記座標検出手段により検出された座標に対応する位置に存する画像を特定する画像特定手段と、前記画像特定手段により画像が特定されたときの位置に対応する座標が前記座標検出手段により検出されてから続けて該座標に連続的に変化する座標が前記座標検出手段により検出されたときに、前記画像特定手段により画像が特定されたときの位置に対応する座標から該座標に連続的に変化した座標までの移動量と方向とを検出するドラック量検出手段と、前記ドラック量検出手段により検出された移動量と方向とから、前記画像特定手段により特定された画像を、前記表示手段が表示可能な表示領域内で移動させる画像移動手段と、前記座標検出手段により検出された座標に対応する位置が画像の四隅であるときに画像回転処理を行う画像回転手段と、を更に備え、前記表示手段は、前記画像移動手段により移動させられた画像、又は及び、前記画像回転手段により画像回転処理が行われた画像を表示する、構成である。
【０００８】
本発明の第３の態様に係る画像表示装置は、前記第１又は２の態様において、前記画像処理手段によって生成された画像を新しいファイルとして前記記録媒体に記録する、構成である。
【０００９】
本発明の第４の態様に係る画像表示装置は、前記第１乃至３の何れか一つの態様において、前記順位決定手段は、前記選択された複数画像の順位付けをランダムに行う、構成である。
【００１０】
本発明の第５の態様に係る画像表示装置は、前記第１乃至４の何れか一つの態様において、前記画像サイズ変更手段は、前記選択された複数画像の画像サイズをランダムに変更する、構成である。
【００１１】
本発明の第６の態様に係る画像表示装置は、前記第１乃至５の何れか一つの態様において、前記選択された複数画像は、前記記録媒体からランダムに抽出された画像データに係る画像である、構成である。
【００１２】
本発明の第７の態様に係る画像表示装置は、前記第２乃至６の何れか一つの態様において、前記表示手段に、前記画像特定手段により特定された画像が拡大表示されると共に他の画像が縮小表示される、構成である。
【００１３】
本発明の第８の態様に係る画像表示装置は、前記第１乃至７の何れか一つの態様において、画像データに係る画像ファイルに含まれる付属情報を基にサムネイル画像を並び替える並び替え手段を更に備え、前記並び替え手段は、第１の情報を有する付属情報を含む画像ファイルに係るサムネイル画像を前記第１の情報を基に並び替えた後、続けて、前記第１の情報を有しない付属情報を含む画像ファイルに係るサムネイル画像を日付情報を基に並び替える、構成である。
【００１４】
本発明の第９の態様に係る画像表示装置は、前記第１乃至８の何れか一つの態様において、当該画像表示装置は、パーソナルコンピュータ、携帯電話機、携帯情報端末装置、ビデオカメラ、デジタルスチルカメラ、携帯音楽プレーヤーの何れか一つである、構成である。
【００１５】
尚、本発明は、上記画像表示装置に限らず、画像表示方法として構成することも可能である。
【発明の効果】
【００１６】
本発明によれば、ユーザは、所望の大きさ及び配置で画像を閲覧することができる。
【発明を実施するための最良の形態】
【００１７】
以下、本発明の実施例を図面を参照しながら説明する。
【実施例１】
【００１８】
図１は、本発明に係る画像表示装置を適用したデジタルスチルカメラ（以下単に「デジタルカメラ」という）の主要構成を示すブロック図である。
同図において、撮像部１は、例えばＣＣＤ（ Charge Coupled Devices ）等の撮像素子を内部に備え、被写体の光学像を電気信号に変換し、所定の撮像処理を行って画像データを得る。
【００１９】
画像処理部２は、画像を合成するための処理を行う画像合成部２ａと，画像サイズを変更するための処理を行う画像サイズ変更部２ｂと，画像を特定するための処理を行う画像特定部２ｃ等を内部に備え、画像データに対し各種の画像処理を行う。
【００２０】
この画像処理部２と、システム制御部３と、圧縮伸長部４と、表示制御部５と、表示部６と、操作部７と、外部機器接続部８と、記憶部９と、一時記憶部１０等はそれぞれバス１１に接続されており、相互にデータの送受が可能になっている。
【００２１】
一時記憶部１０は、例えばＳＤＲＡＭ（ Synchronous DRAM ）であり、画像処理部２による処理中の画像データの一時格納用や、システム制御部３のワークエリア等として使用される。
【００２２】
記憶部９は、例えばＲＯＭであり、当該デジタルカメラの全体の動作を制御するための制御プログラムや、その制御に必要な各種データが記憶されている。
システム制御部３は、内部にＣＰＵ等を備え、当該ＣＰＵが記憶部９に記憶されている制御プログラムを読み出し実行することによって、当該デジタルカメラの全体の動作を制御する。
【００２３】
圧縮伸長部４は、画像データの圧縮処理や伸長処理を行う。
表示制御部５は、表示する画像を移動するための処理を行う画像移動部５ａと，表示する画像を回転するための処理を行う画像回転部５ｂと，表示する画像を移動・回転させて配置するための処理を行う画像配置部５ｃと，表示する画像の重複に係る処理を行う画像重複処理部５ｄ等を内部に備え、各種の表示制御を行う。例えば、画像の順位付けを決定するための処理を行う順位決定部１２や、表示を切り替えるための処理を行う表示切替部１３や、指示部（例えばタッチパネル）１４の座標を検出するための処理を行う座標検出部１５や、指示部１４のドラック量（移動量と方向）を検出するための処理を行うドラック量検出部１６の処理結果に応じて、所定の表示制御を行う。
【００２４】
表示部６は、例えばＬＣＤ（液晶ディスプレイ）であり、表示制御部５の制御に応じて画像や各種メニュー等を表示する。
指示部１４は、当該デジタルカメラに各種の指示を行うためのものであり、本実施例では、これをタッチパネルとする。尚、このタッチパネル１４は、表示部６の表示画面上に重ねて配置されている。
【００２５】
操作部７は、各種のボタンやスイッチ等といった各種ＵＩ（ユーザインターフェース）を備え、当該デジタルカメラに各種の入力や指示を行うためのものである。
外部機器接続部８は、例えばＡＴＡＰＩ（ AT Attachment Packet Interface ）やＵＳＢ（ Universal Serial Bus ）等により外部機器と接続するためのものである。
【００２６】
保存部１７は、装着されているメモリカードやメモリカードタイプの小型ＨＤＤ（ Hard Disk Drive ）等の記録媒体を読み書きするものである。尚、本実施例では、保存部１７にメモリカードが装着されているものとする。
【００２７】
このようなデジタルカメラの構成により、例えば、撮影により撮像部１によって得られた画像データは、画像処理部２により所定の画像処理が行われた後、圧縮伸長部４により圧縮処理が行われ、保存部１７に装着されているメモリカードに画像ファイルとして記録される。一方、メモリカードに画像ファイルとして記録されている画像データは、必要に応じて読み出され、圧縮伸長部４により伸長処理が行われ、表示制御部５の表示制御の基に表示部６に表示される。
【００２８】
尚、このデジタルカメラは、Ｅｘｉｆ（ Exchangeable Image File Format ）に準拠しているものとする。従って、撮影により得られた画像データを画像ファイルとして記録する際には、主画像データと共に、撮影日付等を含む付属情報（メタデータとも言う）及び縮小画像データ（サムネイル画像データとも言う）が併せて画像ファイルとして記録される。また、このようにして記録された画像ファイルの画像を表示部６に表示する際には、その画像ファイルの縮小画像データが読み出され、その縮小画像データに係る縮小画像が表示部６に表示される。
【００２９】
次に、このような構成のデジタルカメラにて行われる動作の一つであるフリー表示動作を、図２，図３，図４，図５を用いて詳細に説明する。図２は、そのフリー表示動作に係るフローチャートを示す図である。図３，図４，及び図６は、本動作の実行中に表示部６に表示された表示画面の一例を示す図である。図５は、本動作で行う画像の順位付けを説明する図である。
【００３０】
尚、このフリー表示動作は、システム制御部２のＣＰＵが記憶部９に記憶されている制御プログラムを読み出し実行することによって行われるものである。また、このフリー表示動作は、ユーザによる操作部７の操作により、フリー表示モードが指示された時に開始する動作である。
【００３１】
図２において、システム制御部２は、本動作を開始すると、まず、保存部１７に装着されているメモリカードに記録されている複数の画像ファイルの縮小画像データ（サムネイル画像データ）を読み出し、その縮小画像（サムネイル画像とも言う）を表示部６の表示画面にサムネイル表示する（ステップ（以下単に「Ｓ」という）１）。
【００３２】
図３は、Ｓ１でサムネイル表示されたときの表示部６の表示画面の一例を示す図である。同図に示したように、本実施例では、４×４コの画像１乃至１６の縮小画像が表示される。尚、この表示画面においては、ユーザによる操作部７の操作により画面送り指示が行われることによって、メモリカードに記録されている他の複数の画像ファイルの縮小画像を表示させることもできるようになっている。
【００３３】
Ｓ１の後、続いて、ユーザによる操作部７の操作により画像選択指示が行われると、その指示に応じて縮小画像を選択する（Ｓ２）。尚、このＳ２の縮小画像の選択では、ユーザが表示画面に表示されている所望の縮小画像をタッチパネル１４を介して指でタッチすることによって、そのタッチ位置に対応する表示位置の縮小画像を選択するようにすることも可能である。
【００３４】
図４は、Ｓ２で縮小画像が選択されたときの表示部６の表示画面の一例を示す図である。同図に示したように、本実施例では、選択された縮小画像（同図の例では、画像１，３，７，１０）の画像内左下に、選択されたことを示すチェック印が併せて表示される。
【００３５】
尚、Ｓ２では、ユーザの意思により縮小画像が選択されるものであるが、例えば、画像ファイルの付属情報の内容を基に自動的に選択するようにすることも可能であり、又は、ランダムに自動的に選択するようにすることも可能であり、或いは、全選択するようにすることも可能である。また、Ｓ２において、ユーザが縮小画像を選択する際に、表示部６の表示可能領域の面積を考慮して、選択可能な縮小画像数に制限を設けるようにすることも可能である。
【００３６】
Ｓ２の後、続いて、Ｓ２で選択された縮小画像に係る縮小画像データとその画像ファイルの付属情報とを抽出し（Ｓ３）、順位決定部１２が、Ｓ３で抽出された付属情報等を基に、同じくＳ３で抽出された縮小画像データの順位付けを行う（Ｓ４）。
【００３７】
図５は、Ｓ４で行われる順位付けを説明する図である。同図において、お気に入り度，閲覧回数，撮影日付は、Ｓ３で抽出された付属情報（同図の例では、画像１，３，７，１０の付属情報）から取得されたものである。ここで、お気に入り度は、撮影時或いは再生時にユーザにより任意に指定可能なものであり、その指定の都度、付属情報への登録或いはその更新が行われるものである。また、閲覧回数は、当該縮小画像を表示部６に通常表示（サムネイル表示ではなく１コマ表示）した回数を示すものであり、その表示の都度、付属情報への登録或いはその更新が行われるものである。また、撮影日付は、当該縮小画像が撮影された日付である。
【００３８】
また、チェック順は、Ｓ２でユーザが縮小画像を選択した際に取得されたものであり、ユーザが縮小画像を選択した順番を示すものである。
このようにして取得された、お気に入り度，閲覧回数，撮影日付，チェック順等の情報を基に、表示画像の順位付けを行うことが可能になっている。本実施例では、このうちのお気に入り度を基準に表示画像の順位付けを行うものである。これにより、順位付けは、同図に示したように、お気に入り度に従って、画像７，１，１０，３の順に決定される。尚、お気に入り度は、数値が大きいものほど、お気に入り度が高いものとする。
【００３９】
また、この順位付けは、この他、ランダムに行うようにすることも可能である。
Ｓ４の後、続いて、画像サイズ変更部２ｂが、Ｓ４で決定された順位付けに基づいて、高い順位付けのものほど画像サイズが大きくなるように、Ｓ３で抽出された縮小画像データの画像サイズを変更する（Ｓ５）。但し、本実施例では、最も高い順位付けのものであっても、表示部６の表示可能領域の８０％の画像サイズまでしか変更されないものとする。
【００４０】
続いて、Ｓ５で画像サイズが変更された縮小画像データの画像角度を±４５の範囲で変更する（Ｓ６）。ここで、＋は右回転方向、−は左回転方向を示す。尚、画像角度の指定は、±４５°の範囲で、ユーザが任意に指定するようにすることも可能であり、或いは、当該デジタルカメラが自動的に指定するようにすることも可能である。例えば、当該デジタルカメラが自動的に指定するようにした場合には、±４５°の範囲でランダムに指定するようにすることも可能である。或いは、順位付けに応じて指定するようにすることも可能である。
【００４１】
尚、本実施例では、変更可能な画像角度を±４５°の範囲とするが、これに限定されるものではない。
続いて、Ｓ６で画像角度が変更された縮小画像データに係る縮小画像を表示する画像位置を決定する（Ｓ７）。但し、その画像位置は、表示する縮小画像の四隅が表示部６の表示可能領域に入るように決定される。尚、この画像位置は、ユーザが任意に指定するようにすることも可能であり、或いは、当該デジタルカメラが自動的に指定するようにすることも可能である。例えば、当該デジタルカメラが自動的に指定するようにした場合には、ランダムに指定するようにすることも可能である。或いは、順位付けに応じて指定するようにすることも可能である。
【００４２】
続いて、画像合成部２ａが、Ｓ５及びＳ６により画像サイズ及び画像角度が変更された縮小画像データを、Ｓ７で決定された画像位置に、高い順位付けのものほど最前面に表示されるように配置合成して合成画像データを作成する（Ｓ８）。また、作成された合成画像データは、付属情報と共に画像ファイルとしてメモリカードに記録される。ここで、この付属情報には、合成画像データの作成に使用された縮小画像データの各々について、当該画像ファイルのファイル名，選択形態，順位付け，画像サイズ，画像角度，画像位置等の情報が含まれ、後に、この付属情報から、合成画像を再現することができるようになっている。
【００４３】
続いて、Ｓ８で作成された合成画像データに係る合成画像を表示部６に表示し（Ｓ９）、本フローが終了する。
図６は、Ｓ９で合成画像が表示されたときの表示部６の表示画面の一例を示す図である。同図に示したように、Ｓ４で決定された順位付け（画像７，１，１０，３の順）と、Ｓ５で変更された画像サイズと、Ｓ６で変更された画像角度と、Ｓ７で決定された画像位置に従って、高い順位付けのものほど大きく最前面に表示されるようになる。
【００４４】
以上、本実施例によれば、一画面に複数の画像を表示する際に、各画像の大きさ及び配置を変更して表示することができる。また、順位付けの高いものほど大きく表示することができるので、所望の画像を順位付けの高いものとすることによって、所望の画像を大きく閲覧し易くすることができる。また、メモリカードに記録した合成画像データに係る合成画像を表示することによって、ユーザは所望の画像をいつでも直ぐに閲覧することができる。
【００４５】
また、このように単なる拡大画像とは異なる表示方法を採用したことによって、ユーザに画像を閲覧する楽しみを提供することもできる。
尚、本実施例において、前述のＳ５では、高い順位付けのものほど大きく表示されるように画像サイズを変更したが、例えば、順位付けに係らず、全て一定の画像サイズとすることも可能である。
【実施例２】
【００４６】
本実施例では、図２に示したフリー表示動作により作成された合成画像データの編集を行うときの動作（以下「フリー表示編集動作」という）を説明する。
図７は、フリー表示編集動作に係るフローチャートを示す図である。図８，図９，図１０，図１１は、本動作実行中にユーザによって行われるタッチパネル１４上の操作を説明する図である。図１２は、本動作の実行によって表示部６に表示された表示画面の一例を示す図である。
【００４７】
尚、このフリー表示編集動作も、システム制御部２のＣＰＵが記憶部９に記憶されている制御プログラムを読み出し実行することによって行われるものである。また、このフリー表示編集動作は、図２に示したフリー表示動作により作成された合成画像データに係る合成画像が、表示部６の表示画面に表示されているときに、ユーザによる操作部７の操作によりフリー表示編集モードが指示された時に開始する動作である。
【００４８】
図７において、システム制御部２は、本動作を開始すると、まず、表示部６に表示されている合成画像に係る画像ファイルの付属情報を読み出し、その付属情報に含まれる、当該合成画像の作成に使用された縮小画像毎の、ファイル名，順位付け，画像サイズ，画像角度，画像位置等の情報を取得する。続いて、そのファイル名の画像ファイルの縮小画像データをメモリカードから読み出し、その読み出した縮小画像データに対し、対応する前述の画像サイズ及び画像角度を基に、前述の図２のＳ５乃至６の処理を行う。そして、画像配置部５ｃが、その処理後の縮小画像データに係る縮小画像を、対応する前述の画像位置を基に、対応する表示画面上の位置へ表示するよう表示制御すると共に、画像重複処理部５ｄが、対応する前述の順位付けを基に、順位付けの高いものほど最前面に表示されるよう表示制御する。すなわち、順位付けの高いものほど優先して表示させるよう表示制御するものである。これにより、表示部６には、合成画像データに係る合成画像に代わって、その付属情報を基に再現された複数の縮小画像データに係る縮小画像からなる重複画像が表示される。
【００４９】
続いて、この重複画像が表示されているときに、ユーザがタッチパネル１４を介して所望の縮小画像（但し縮小画像の四隅以外）を指でタッチすると（Ｓ１１）、座標検出部１５は、そのタッチ位置の座標を検出し（Ｓ１２）、画像特定部２ｃは、Ｓ１２で検出されたタッチ位置の座標を基に、ユーザがタッチ（選択）した縮小画像を特定する（Ｓ１３）。
【００５０】
尚、タッチパネル１４上の座標系は、表示部６の表示画面上の座標系に対応しており、タッチパネル１４上の位置が特定されることにより、対応する表示画面上の位置を特定することができるようになっている。また、表示されている縮小画像の表示画面上の位置や画像サイズ及び画像角度も既知であることから、タッチパネル１４上のタッチ位置が特定されることによって、そのタッチ位置に対応する表示画面上の位置が、表示されている縮小画像のいずれに含まれるかを判断することができ、これにより、ユーザが選択した縮小画像を特定することができるようになっている。
【００５１】
図８は、Ｓ１１において、ユーザが”画像３”の縮小画像をタッチパネル１４を介して指でタッチしたときの様子を示している。ここで、同図×印は、ユーザのタッチ位置を示している。これにより、”画像３”の縮小画像が、ユーザが選択した縮小画像として特定される。
【００５２】
Ｓ１３の後、続いて、ユーザがＳ１１でタッチパネル１４にタッチした指を離すことなくドラックすると、ドラック量検出部１６は、ドラック開始時のタッチ位置の座標（Ｓ１２で検出済み）と、ドラック終了時に座標検出部１５が検出したドラック終了時のタッチ位置の座標とから、ドラック量（移動量と方向）としてｘ方向の移動成分とｙ方向の移動成分とを検出し（Ｓ１４）、画像移動部５ａは、Ｓ１４で検出されたドラック量を基にＳ１３で特定された縮小画像の表示位置を移動する（Ｓ１５）。但し、この表示位置の移動は、縮小画像が表示部６の表示可能領域に収まる範囲に限られる。
【００５３】
尚、Ｓ１４は、換言するならば、画像特定部２ｃにより画像が特定されたときの位置に対応する座標が座標検出部１５により検出されてから続けて該座標に連続的に変化する座標が座標検出部１５により検出されたときに、ドラック量として、画像特定部２ｃにより画像が特定されたときの位置に対応する座標（ドラック開始時の座標）から該座標に連続的に変化した座標（ドラック終了時の座標）までの移動量と方向とを検出する処理でもある。
【００５４】
図９は、Ｓ１４乃至１５で、ユーザが”画像３”の縮小画像をタッチパネル１４を介して指でドラックしたときの様子を示している。ここで、点線の”画像３”の縮小画像はドラック開始時のものを示し、実線の”画像３”の縮小画像はドラック終了時のものを示している。これにより、”画像３”の縮小画像が、ドラック終了時の位置へ移動する。
【００５５】
Ｓ１５の後、続いて、ユーザがタッチパネル１４を介して所望の縮小画像の四隅を指でタッチすると、画像回転処理（Ｓ１６）を開始する。この画像回転処理では、まず、座標検出部１５が検出したタッチ位置の座標からタッチ位置が縮小画像の四隅であると判断すると、その縮小画像の四隅に回転アイコンを表示する。そして、ユーザがタッチパネル１４を介して回転アイコンの何れかを指でタッチ＆ドラックすると、座標検出部１５がタッチ位置の座標を検出し、続いてドラック量検出部１６が、検出されたタッチ位置の座標を基にドラック量（移動量と方向）としてｘ方向の移動成分とｙ方向の移動成分とを検出し、画像回転部５ｂが、検出されたドラック量に応じた回転方向及び回転角で、そのタッチ＆ドラッグされた縮小画像を、画像中心を回転軸に回転させるよう表示制御する。尚、回転方向は、ユーザが縮小画像の右上の回転アイコンを左／右にドラックすると左回転／右回転し、縮小画像の右下の回転アイコンを上／下にドラックすると左回転／右回転し、縮小画像の左下の回転アイコンを右／左にドラックすると左回転／右回転し、縮小画像の左上の回転アイコンを下／上にドラックすると左回転／右回転するようになっている。そして、ユーザがタッチパネル１４を介して他の縮小画像又は縮小画像以外の箇所をタッチすると、座標検出部１５が検出したタッチ位置の座標からタッチ位置が他の縮小画像又は縮小画像以外の箇所であると判断し、この画像回転処理を終了する。
【００５６】
図１０は、Ｓ１６の画像回転処理開始前に、ユーザが”画像７”の縮小画像の右下部分をタッチパネル１４を介して指でタッチしたときの様子を示している。ここで、同図×印は、ユーザのタッチ位置を示している。これにより、”画像７”の縮小画像の四隅に回転アイコンが表示されるようになる。
【００５７】
図１１は、ユーザが”画像７”の縮小画像の右下部分の回転アイコン１８をタッチパネル１４を介して指でタッチ＆ドラックしたときの様子を示している。例えば、ユーザが右下部分の回転アイコンをタッチパネル１４を介して指で上／下方向にドラックすることにより、”画像７”の縮小画像が左回転／右回転するようになる。尚、同図×印は、このときの回転軸を示している。
【００５８】
Ｓ１６の後、続いて、ユーザによる操作部７の操作により編集終了指示が行われると、編集を終了及び確定し、画像合成部２ａが、このときに表示されている重複画像の合成画像データを作成する（Ｓ１７）。すなわち、このときに表示されている重複画像に含まれる縮小画像に係る縮小画像データを、その重複画像がそのまま一つの画像となるように合成（再合成）し合成画像データ（再合成画像データ）を作成する。
【００５９】
続いて、Ｓ１７で作成された再合成画像データに係る再合成画像を表示部６の表示画面に表示すると共に、メモリカードに記録されている当該合成画像ファイルの合成画像データ及び付属情報を、編集後の合成画像データ（再合成画像データ）及び編集後の情報（画像位置や画像角度等）が反映された付属情報へと更新し（Ｓ１８）、本フローが終了する。
【００６０】
図１２は、Ｓ１８で再合成画像が表示されたときの表示部６の表示画面の一例を示す図である。同図に示したように、Ｓ１５で画像移動されＳ１６で画像回転された（例えば図８乃至１１参照）、編集後の合成画像が表示されるようになる。
【００６１】
以上、本実施例によれば、合成画像をユーザの好みに応じて容易に変更することができ、いつでも所望の画像を所望の配置で閲覧することができる。
尚、本実施例では、編集前の合成画像データに係る画像ファイルを、編集後の再合成画像データに係る画像ファイルに更新するものであったが、編集前の合成画像データに係る画像ファイルとは別に、新たに、編集後の再合成画像データに係る画像データを作成するようにすることも可能である。
【実施例３】
【００６２】
本実施例では、メモリカードに記録された合成画像ファイルの付属情報を基に、合成画像の作成に使用された縮小画像の主画像データを用いて合成画像データを作成するときの動作（以下「高精彩合成画像作成動作」という）を説明する。
【００６３】
図１３は、高精彩合成画像作成動作に係るフローチャートを示す図である。図１４は、付属情報の一例を示す図である。図１５は、付属情報と合成画像の関係を説明する図である。
【００６４】
尚、この高精彩合成画像作成動作も、システム制御部２のＣＰＵが記憶部９に記憶されている制御プログラムを読み出し実行することによって行われるものである。また、この高精彩合成画像作成動作は、図２に示したフリー表示動作或いは図７に示したフリー表示編集動作によってメモリカードに合成画像データが記録されているときに、ユーザによる操作部７の操作により高精彩合成画像作成モードが指示された時に開始する動作である。
【００６５】
図１３において、システム制御部２は、本動作を開始すると、まず、合成画像名取得処理を行う（Ｓ２１）。この合成画像名取得処理では、ユーザによる操作部７の操作により所望の合成画像に係る画像ファイルのファイル名が指示されると、そのファイル名を取得する。
【００６６】
続いて、メモリカードから、Ｓ２１で取得されたファイル名の画像ファイルの付属情報を取得する。（Ｓ２２）。
図１４は、Ｓ２２で取得された付属情報の一例を示す図である。同図に示したように、付属情報には、合成画像の作成に使用された縮小画像データ毎に、ファイル名（画像ファイル名）と、何れの選択方法（選択画像，メタデータ選択，ランダム選択，又は全画像選択）により縮小画像が選択されたかということと、画像順位と、選択番号と、縮小画像サイズと、画像開始座標と、角度基準と、画像角度等の情報が含まれている。また、不図示ではあるが、当該合成画像の画像サイズの情報も含まれている。
【００６７】
ここで、選択画像，メタデータ選択，ランダム選択，全画像選択の各項目において、ＯＮ（＝１）は、使用された選択方法を示し、ＯＦＦ（＝０）は、使用されなかった選択方法を示している。同図の例では、使用された選択方法が、選択画像となっている。尚、図１のＳ２において説明したように、選択画像はユーザが任意に選択する選択方法を示し、メタデータ選択は付属情報を基に選択する選択方法を示し、ランダム選択はランダムに選択する選択方法を示し、全画像選択は全ての画像を選択する選択方法を示している。
【００６８】
また、画像順位は前述の順位付けの値、選択番号は選択した順番、画像開始座標は前述の画像位置、角度基準は画像角度の基準となる画像の位置を示している。
図１５は、図１４に示した付属情報と合成画像との関係を説明する図であり、その付属情報を有する画像ファイルの合成画像が表示部６に表示されたときの表示画面を示している。図１５に示したように、表示画面上の座標系は、表示画面の左上が原点（０，０）となり、水平方向がｘ方向、垂直方向がｙ方向となっている。ここで、例えば”画像７”の縮小画像に着目すると、付属情報に含まれる”画像７”（”０００００００．ｊｐｇ”）に関する情報において、縮小画像サイズ”２４０×３８０”は”画像７”の画像サイズとなり、画像開始座標の”１３０，１９０”は”画像７”の左上の座標となり、角度基準の”左下”は”画像７”の左下となり、画像角度の”−１５”は、その”画像７”の左下を通るｘ方向に平行な直線と”画像７”の下辺とのなす角度θとなる。但し、画像角度において、＋は時計回り方向、−は反時計回り方向となっている。
【００６９】
図１３に戻り、Ｓ２２の後、続いて、Ｓ２２で取得された付属情報に含まれる縮小画像のファイル名を取得し、該取得したファイル名の画像ファイルの主画像データをメモリカードから読み出す（Ｓ２３）。すなわち、合成画像の作成に使用された縮小画像の原画像データを呼び出す。
【００７０】
続いて、Ｓ２３で読み出された主画像データをＳ２２で取得された付属情報を基に編集する自動編集処理を行う（Ｓ２４）。この自動編集処理では、続くＳ２５で主画像データを用いて作成される合成画像データに係る合成画像に対する該合成画像中の主画像の画像サイズの比率及び画像角度が、Ｓ２１で指示されたファイル名の画像ファイルの合成画像データに係る合成画像に対する該合成画像中の縮小画像の画像サイズの比率及び画像角度と同一となるように、Ｓ２２で取得された付属情報に含まれる、合成画像の画像サイズとその合成画像中の縮小画像の画像サイズ及び画像角度等の情報を基に、Ｓ２３で読み出された主画像データの画像サイズ及び画像角度を変更する。尚、画像サイズの変更は、画像サイズ変更部２ｂが行う。
【００７１】
但し、本実施例では、主画像データを用いて作成される合成画像データの画像サイズを、主画像データの２倍とする。
続いて、Ｓ２４で自動編集処理が行われた主画像データを、Ｓ２２で取得された付属情報を基に合成、保存する画像合成保存処理を行う（Ｓ２５）。この画像合成保存処理では、Ｓ２４で自動編集処理が行われた主画像データを用いて作成される合成画像データに係る合成画像に対する該合成画像中の主画像の配置が、Ｓ２１で指示されたファイル名の画像ファイルに係る合成画像に対する該合成画像中の縮小画像の配置と同一となるように、Ｓ２２で取得された付属情報に含まれる、合成画像の画像サイズと該合成画像中の縮小画像の画像サイズ及び画像開始座標等の情報を基に、画像合成部２ａが、Ｓ２４で自動編集処理が行われた主画像データを合成して合成画像データを作成する。尚、この合成画像データの作成では、Ｓ２２で取得された付属情報に含まれる画像順位等の情報を基に、高い順位付けのものほど最前面に表示されるように配置合成される。そして、作成した合成画像データを、該合成画像データに係る新たな付属情報と共に、画像ファイルとしてメモリカードに記録し、本フローを終了する。
【００７２】
以上、本実施例によれば、合成画像の印刷、或いは、例えばＰＣ等の高精彩表示装置への表示を行う場合に、この主画像データを用いて作成された合成画像データを用いることによって、その印刷或いは表示を高画質に行うことが可能になる。
【実施例４】
【００７３】
本実施例では、図２に示したフリー表示動作或いは図７に示したフリー表示編集動作により作成された合成画像データに係る合成画像が表示部６の表示画面に表示されているときに、その合成画像の表示形式を一定形式に変更するときの動作（以下「表示形式変更動作」という）を説明する。
【００７４】
尚、この表示形式変更動作も、システム制御部２のＣＰＵが記憶部９に記憶されている制御プログラムを読み出し実行することによって行われるものである。また、この表示形式変更動作は、図２に示したフリー表示動作或いは図７に示したフリー表示編集動作により作成された合成画像データに係る合成画像が表示部６の表示画面に表示されているときに、ユーザによる操作部７の操作により表示形式変更モードが指示された時に開始する動作である。
【００７５】
図１６は、表示形式変更動作を説明する図である。
同図に示したように、本動作では、表示部６の表示画面に表示された合成画像において、ユーザが所望の縮小画像（ここでは”画像１”の縮小画像）をタッチパネル１４を介して指でタッチすると（同図上側の表示画面１９参照）、画像角度はそのままに、そのタッチした縮小画像が表示画面の略中央に大きく表示されると共に残りの縮小画像が隅に小さく表示される（同図下側の表示画面２０参照）。また、このときに、ユーザが先程タッチした縮小画像を再びタッチパネル１４を介してタッチすると、元の合成画像（同図上側の表示画面１９参照）に戻るようになっている。
【００７６】
この表示形式変更動作を更に詳細に説明すると、まず、ユーザがタッチパネル１４を介して所望の縮小画像を指でタッチすると、座標検出部１５は、そのタッチ位置の座標を検出し、画像特定部２ｃは、その検出されたタッチ位置の座標を基に、ユーザがタッチ（選択）した縮小画像を特定する。
【００７７】
続いて、表示部６に表示されている合成画像に係る画像ファイルの付属情報を読み出し、その付属情報に含まれる、当該合成画像の作成に使用された縮小画像毎のファイル名，画像角度等の情報を取得し、そのファイル名の画像ファイルの縮小画像データをメモリカードから読み出し、その読み出した縮小画像データに対し、対応する前述の画像角度はそのままに、画像サイズのみを、前述の特定された縮小画像を大きく他の縮小画像を小さく表示するよう、前述の図２のＳ５乃至６の処理を行う。そして、画像配置部５ｃが、その処理後の縮小画像データに係る縮小画像を、前述の特定された縮小画像を略中央に他の縮小画像を隅に表示するよう表示制御する。これにより、表示部６には、合成画像データに係る合成画像に代わって、特定された縮小画像が略中央に大きく他の縮小画像が隅に小さく表示される。
【００７８】
また、この後に、ユーザが略中央に大きく表示された縮小画像を再びタッチパネル１４を介して指でタッチすると、座標検出部１５は、そのタッチ位置の座標を検出し、画像特定部２ｃは、その検出されたタッチ位置の座標を基に、ユーザがタッチ（選択）した縮小画像が、略中央に大きく表示された縮小画像であることを特定する。このように、ユーザがタッチした縮小画像が、略中央に大きく表示された縮小画像であると特定されると、以前に表示されていた合成画像データに係る合成画像を表示部９に表示する。
【００７９】
尚、図１４において、表示画面１９が表示されているときに、ユーザが、例えば、略中央に大きく表示されている”画像１”の縮小画像ではなく、隅に小さく表示されている、例えば”画像１０”に係る縮小画像がタッチパネル１４を介して指でタッチすると、”画像１０”の縮小画像を、”画像１”の縮小画像に代わって略中央に大きく表示し、”画像１”の縮小画像を、例えば”画像１０”の縮小画像に代わって隅に小さく表示するようにすることも可能である。
【００８０】
以上、本実施例によれば、ユーザは、表示部６に表示されている合成画像において、所望の縮小画像が小さく表示されているときに、それを簡単に大きくして閲覧することができる。
【実施例５】
【００８１】
本実施例では、図２に示したフリー表示動作或いは図７に示したフリー表示編集動作により作成された合成画像データに係る合成画像が表示部６の表示画面に表示されているときに、表示形式をサムネイル表示に変更する（戻す）動作（以下「サムネイル表示変更動作」という）を説明する。
【００８２】
尚、このサムネイル表示変更動作も、システム制御部２のＣＰＵが記憶部９に記憶されている制御プログラムを読み出し実行することによって行われるものである。また、このサムネイル表示変更動作は、図２に示したフリー表示動作或いは図７に示したフリー表示編集動作により作成された合成画像データに係る合成画像が表示部６の表示画面に表示されているときに、ユーザによる操作部７の操作によりサムネイル表示への切り替え指示が行われた時に開始する動作である。
【００８３】
図１７は、サムネイル表示変更動作が行われた後の表示部６の表示画面を示す図である。尚、本実施例でも、サムネイル表示は４×４コのサムネイル表示とする。
同図に示したように、サムネイル表示への切り替え指示が行われると、合成画像（ここでは図６に示した合成画像とする）に含まれていた縮小画像（同図の”画像７”，”画像１”，”画像１０”，”画像３”の縮小画像）と共に、メモリカードに記録されている他の画像ファイルに係る縮小画像がサムネイル表示される。
【００８４】
但し、このサムネイル表示において、合成画像に含まれていた縮小画像は、順位付け（ここではお気に入り度）に応じて順に表示され、また、その他の縮小画像は、例えば、当該画像ファイルの付属情報の内容（撮影日付等）を基に順に表示される。
【００８５】
このサムネイル表示変更動作を更に詳細に説明すると、表示画面に合成画像が表示されているときに、まず、ユーザによる操作部７の操作によりサムネイル表示への切り替え指示が行われると、メモリカードから、この合成画像に係る画像ファイルの付属情報を基に合成画像の作成に使用された縮小画像に係る縮小画像データを読み出すと共に、残りのサムネイル表示可能な数の他の画像ファイルの縮小画像データを読み出す。そして、読み出した縮小画像データに係る縮小画像のうち、合成画像の作成に使用された縮小画像を、当該付属情報に含まれる順位付けに応じて表示画面の左上から順に表示するようにすると共に、残りの縮小画像を、当該付属情報に含まれる付属情報（例えば撮影日付等）を基に、合成画像の作成に使用された縮小画像に続けて、順に表示するようにして、サムネイル表示する。
【００８６】
以上、本実施例によれば、縮小画像を、お気に入り度等の順位付けに応じて順に表示すると共に、それに続けて、順位付け以外の付属情報の内容（例えば撮影日付等）を基に順に表示した、サムネイル表示を行うことができる。
【００８７】
尚、本実施例では、合成画像が表示されているときに、サムネイル表示への切り替え指示を行うものであったが、例えば、図３に示したように通常のサムネイル表示が行われているときに、図４に示したようにユーザが所望の縮小画像を選択した後、ユーザが所定の操作を行うことによって、前述の図１７に示した形式のサムネイル表示を行うようにすることも可能である。
【実施例６】
【００８８】
本実施例では、画像データの他に、音楽データや書籍データ等のコンテンツデータを再生可能な画像表示装置について説明する。
本実施例に係る画像表示装置は、例えば図１に示したデジタルカメラのように、表示部の表示画面上にタッチパネルを備えていると共に、各種スイッチやボタン等を含む操作部を備えており、このタッチパネルや操作部を介して、各種の指示や入力が可能になっている。また、記録媒体として、例えばＨＤＤ等、固定式或いは着脱式の大容量の記録媒体を備えている。
【００８９】
この画像表示装置では、前述のフリー表示動作（実施例１参照），フリー表示編集動作（実施例２参照），高精彩合成画像作成動作（実施例３参照），表示形式変更動作（実施例４参照），サムネイル表示への変更動作（実施例５参照）等の動作を行うことが可能になっている。
【００９０】
また、この画像表示装置では、表示画面に表示された所定の仮想ボタン（以下、これを「仮想決定ボタン」という）がタッチパネルを介して押下（タッチ）される毎に、音楽再生が可能な音楽再生モードと画像再生が可能な画像再生モードとが交互に切り替わるようになっている。
【００９１】
より具体的には、音楽再生モードであるときに仮想決定ボタンが押下されると画像再生モードに切り替わり、１コマ表示が行われている画像再生モードであるときに仮想決定ボタンが押下されると音楽再生モードに切り替わる。尚、サムネイル表示が行われている画像再生モード、或いは前述のフリー表示モード（画像再生モードの一つでもある）であるときには、仮想決定ボタンを一定時間押下し続けることによって、音楽再生モードに切り替えることが可能になっている。
【００９２】
図１８は、画像再生モード時の表示画面の一例を示す図である。
同図の例では、表示画面に、再生画像と共に、仮想十字キー２１（２１ａ、２１ｂ、２１ｃ、２１ｄ）と仮想決定ボタン２２とが表示されている。この仮想十字キー２１と仮想決定ボタン２２は、例えば、各種メニューの選択・決定や画像表示位置変更時等に上下左右に指示を与える場合等に利用される。
【００９３】
この表示画面において、何れの選択も要求されておらず仮想決定ボタン２２が決定の役割を持っていないときに、この仮想決定ボタン２２がタッチパネルを介して押下されると、音楽再生モードに切り替わり、音楽再生モードに応じた表示画面に切り替わる。
【００９４】
図１９は、このときに切り替えられた音楽再生モードに応じた表示画面の一例を示す図である。
同図の例では、記録媒体に記録されている音楽データに基づいて、アルバムタイトルやアーチスト名、曲のタイトルや演奏時間等が表示されると共に、仮想十字キー２１と仮想決定ボタン２２とが表示されている。
【００９５】
この表示画面においても同様に、何れの選択も要求されておらず仮想決定ボタン２２が決定の役割を持っていないときに、この仮想決定ボタン２２がタッチパネルを介して押下されると、画像再生モードに切り替わり、画像再生モードに応じた表示画面（例えば図１６の表示画面）に切り替わる。
【００９６】
図２０は、このような画面切り替えに係る動作を含む表示動作を示すフローチャートである。
同図において、画面切り替えに係る動作は、Ｓ３６乃至４０の処理によって行われる。尚、Ｓ３１乃至３５の処理は後述する。
【００９７】
本動作では、何れかの選択決定が要求されているか否か（何れの選択も要求されておらず仮想決定ボタン２２が決定の役割を持っていないか否か）を判定し（Ｓ３１）、その判定結果がＹｅｓの場合にはＳ３１へ戻り、Ｎｏの場合にはＳ３７へ進む。
【００９８】
続くＳ３７では、仮想決定ボタン２２がタッチパネルを介して押下されたか否かを判定し、その判定結果がＹｅｓの場合にはＳ３８へ進み、Ｎｏの場合にはＳ３１へ戻る。
続くＳ３８では、表示画面が画像機能画面（画像再生モードに応じた表示画面）か否かを判定し、その判定結果がＹｅｓの場合には、続いて、音楽機能画面（音楽再生モードに応じた表示画面）へ切り替え（Ｓ３９）、Ｎｏの場合には、続いて、画像機能画面（画像再生モードに応じた表示画面）に切り替える（Ｓ４０）。
【００９９】
そして、Ｓ３９或いはＳ４０の処理が終了すると、Ｓ３１へ戻る。
このような処理によって表示画面の切り替えが行われる。
また、この画像再生装置では、記録媒体に記録されている、画像データや音楽データ等のデータ容量に応じて、表示画面の枠の色が変更するようになっている。
【０１００】
このような表示画面の枠の色を変更する動作は、前述の図２０のＳ３１乃至３５の処理によって行われる。
本動作では、表示画面が画像機能画面か否かを判定し（Ｓ３１）、その判定結果がＹｅｓの場合には、続いて、画像用に使用可能な記録媒体の記憶領域の空きが１０％以上あるか否かを判定し（Ｓ３２）、その判定結果がＹｅｓの場合にはＳ３６へ進み、Ｎｏの場合には、続いて、画像機能画面（現在の表示画面）において、各辺の一番外側を赤色で表示し（Ｓ３３）、Ｓ３６へ進む。
【０１０１】
一方、Ｓ３１の判定において、その判定結果がＮｏの場合には、続いて、音楽用に使用可能な記録媒体の記憶領域の空きが１０％以上あるか否かを判定し（Ｓ３２）、その判定結果がＹｅｓの場合にはＳ３６へ進み、Ｎｏの場合には、続いて、音楽機能画面（現在の表示画面）において、各辺の一番外側を赤色で表示し（Ｓ３３）、Ｓ３６へ進む。
【０１０２】
これにより、画像用或いは音楽用に使用可能な記録媒体の記憶領域の空きが１０％未満になると、表示画面の外枠が赤色に表示され、ユーザは記憶領域の空きが１０％未満であることを知ることができる。
【０１０３】
図２１は、本動作により、外枠が赤色で表示された画像機能画面の一例を示す図である。同図の例では、外枠２３が赤色で表示されている。
尚、本例では、記憶領域の空きが１０％未満になったときに表示画面の外枠を赤色で表示したが、閾値は１０％に限るものではなく、また外枠の色も赤色に限られるものではない。例えば、枠の色を半透明の色にすれば、枠の部分に対応する部分の画像もユーザが閲覧することができる。或いは、記憶領域の空きが３０％未満で黄色、１０％未満で赤色といった具合に、段階的に表示するようにすることも可能である。この場合も、閾値及び枠の色は、これらに限られるものではない。
【０１０４】
また、本例では、表示画面の外枠を赤色に表示することにより、記憶領域の空きが１０％未満であることをユーザに通知する例を示したが、例えば、その記憶領域の使用量を、表示画面に表示したインジケータ等で知らせるようにすることも可能である。又は、その記憶領域の使用量に応じて仮想十字ボタン２１の色を変更するようにすることも可能である。或いは、その記憶領域の使用量に応じて操作部に含まれる所定のボタン内部に設けられた所定の色のＬＥＤを点灯するようにすることも可能である。
【０１０５】
図２２は、その記憶領域の使用量をインジケータで示したときの画像機能画面の一例を示す図である。同図の例では、表示画面内左下に、記憶領域の使用量を示すインジケータ２４が表示されている。
【０１０６】
図２３は、その記憶領域の使用量を仮想十字ボタン２１の色で示したときの画像機能画面の一例を示す図である。同図の例では、仮想十字ボタン２１が、記憶領域の使用量に応じた色で表示されている。例えは、使用量に応じて、青，黄色，赤といった具合に段階的に表示することが可能である。
【０１０７】
また、この画像表示装置では、画像機能画面中又は音楽機能画面中に表示されている仮想十字キー２１をタッチパネルを介して押下することにより、画像送り又は音楽送り（曲送り）が可能になっている。
【０１０８】
例えば、画像機能画面中において、仮想十字キー２１の左キー２１ｂ又は右キー２１ｄをタッチパネルを介して押下することによって、画像の１コマ送りが可能になっている。また、仮想十字キー２１の上キー２１ａ又は下キー２１ｃをタッチパネルを介して押下することによって、ユーザが予め設定したコマ数の画像送りが可能になっている。
【０１０９】
図２４は、上下キー２１ａ，２１ｃによる画像又は音楽（曲）送り数を設定するときに表示される表示画面の一例を示す図である。
同図の例では、送り数として４桁まで設定できるようになっている。但し、桁数はこれに限られるものではない。
【０１１０】
この表示画面において、ユーザが、設定したい桁をタッチパネルを介してタッチすると、その桁が着色されると共に、その桁の上下に上三角マーク２５ａと下三角マーク２５ｂが表示されるようになっている。ここで、更に上三角マーク２５ａ又は下三角マーク２５ｂをタッチパネルを介してタッチすることにより、その桁の数値がインクリメント又はデクリメントされるようになっている。但し、９がインクリメントされると０になり、０がデクリメントされると９になるようになっている。このようにして各桁を設定し、最後に決定ボタン２２がタッチパネルを介してタッチされると、このときの各桁の数値で送り数が設定される。
【０１１１】
図２５は、このような再生時の画像又は音楽（曲）送り動作を示すフローチャートである。
本動作では、ユーザの指示により、送り数設定要求があったか否かを判定し（Ｓ４１）、その判定結果がＹｅｓの場合には、続いて、後述の送り数設定処理を行って（Ｓ４２）、Ｓ４３へ進み、Ｎｏの場合には、Ｓ４３へ進む。
【０１１２】
続くＳ４３では、仮想十字ボタン２１がタッチパネルを介して押下されたか否かを判定し、その判定結果がＹｅｓの場合にはＳ４４へ進み、Ｎｏの場合にはＳ４１へ戻る。
続くＳ４４では、Ｓ４３で押下された仮想十字キーが何れの十字キーであるかを判定する（Ｓ４４）。
【０１１３】
Ｓ４４の判定において、押下された十字キー２１が、左キー２１ｂであると判定されたときは一つ前の画像又は音楽（曲）を再生し（Ｓ４５）、右キー２１ｄであると判定されたときは一つ後ろの画像又は音楽を再生し（Ｓ４６）、上キー１ａであると判定されたときはＳ４２で設定された送り数前の画像又は音楽を再生し（Ｓ４７）、下キー２１ｃであると判定されたときはＳ４２で設定された送り数後の画像又は音楽を再生し（Ｓ４８）、そしてＳ４９へ進む。
【０１１４】
続くＳ４９では、ユーザの指示により、再生モードの終了要求があったか否かを判定し、その判定結果がＹｅｓの場合には本動作を終了し、Ｎｏの場合にはＳ４１へ戻る。
図２６は、前述のＳ４２の送り数設定処理を示すフローチャートである。
【０１１５】
この送り数設定処理では、まず、現時点において送り数として設定されている設定値を表示し（Ｓ５１）、続いて、ユーザがタッチパネルを介して何れかの桁の領域を押下したかを判定する（Ｓ５２）。
【０１１６】
Ｓ５２の判定結果がＹｅｓの場合には、続いて、押下した桁の領域を着色し（Ｓ５３）、続いて、押下された桁の上下に上三角マーク２５ａと下三角マーク２５ｂを表示し（Ｓ５４）、Ｓ５６へ進む。
【０１１７】
一方、Ｓ５２の判定結果がＮｏの場合には、続いて、何れかの桁の領域が着色されているか否かを判定し（Ｓ５５）、その判定結果がＹｅｓの場合にはＳ５６へ進み、Ｎｏの場合にはＳ６４へ進む。
【０１１８】
Ｓ５６では、タッチパネルを介して上三角マーク２５ａが押下されたか否かを判定し、その判定結果がＹｅｓの場合には、続いて、着色されている桁の数値が０であるか０以外であるかを判定し（Ｓ５７）、その判定結果が０である場合には、着色されている桁に表示されている数値を９とし（Ｓ５８）、０以外である場合には、着色されている桁に表示されている数値をデクリメントし（一つマイナスし）（Ｓ５９）、Ｓ６４へ進む。
【０１１９】
一方、Ｓ５６の判定において、その判定結果がＮｏの場合には、続いて、タッチパネルを介して下三角マーク２５ｂが押下されたか否かを判定し、その判定結果がＹｅｓの場合には、続いて、着色されている桁の数値が９であるか９以外であるかを判定し（Ｓ６１）、その判定結果が９である場合には、着色されている桁に表示されている数値を０とし（Ｓ６２）、９以外である場合には、着色されている桁に表示されている数値をインクリメントし（一つプラスし）（Ｓ６３）、Ｓ６４へ進む。一方、Ｓ６０の判定において、その判定結果がＮｏの場合には、Ｓ６４へ進む。
【０１２０】
そして、Ｓ６４では、ユーザの指示により、送り数の決定指示があったか否かを判定し、すなわち、タッチパネルを介して仮想決定ボタン２２が押下されたか否かを判定し、その判定結果がＹｅｓの場合には本動作が終了し、Ｎｏ場合にはＳ５２へ戻る。
【０１２１】
このような再生時の画像又は音楽（曲）送り動作により、ユーザは仮想十字キー２１を用いて、画像又は音楽（曲）送りが可能になる。
以上、本実施例によれば、表示画面に表示された仮想ボタンを用いて画像再生モードや音楽再生モード等の再生モードの切り替えや、記録媒体の記憶領域の使用量に応じた画面表示や、その仮想ボタンを用いた画像や音楽（曲）等の送りや、その送り数の設定等が可能になる。
【０１２２】
尚、本実施例では、再生対象のコンテンツとして、画像又は音楽を中心に説明したが、前述の書籍等の他のコンテンツであっても同様にして処理が行われることは述べるまでもない。
【０１２３】
以上、実施例１乃至６について説明したが、実施例６に係る画像表示装置を、例えばデジタルカメラに適用することも可能であり、或いは、実施例１乃至６に係る画像表示装置を、例えば、パーソナルコンピュータ、携帯電話機、ＰＨＳ（ Personal Handyphone System ）、ＰＤＡ（ Personal Digital Assistance ：携帯情報端末装置）、ビデオカメラ、携帯音楽プレーヤー等の、再生機能を有する他の装置に適用することも可能である。
【０１２４】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【０１２５】
【図１】本発明に係る画像表示装置を適用したデジタルスチルカメラの主要構成を示すブロック図である。
【図２】フリー表示動作に係るフローチャートを示す図である。
【図３】フリー表示動作の実行中に表示部に表示された表示画面の一例を示す図である。
【図４】フリー表示動作の実行中に表示部に表示された表示画面の一例を示す図である。
【図５】フリー表示動作で行う画像の順位付けを説明する図である。
【図６】フリー表示動作の実行中に表示部に表示された表示画面の一例を示す図である。
【図７】フリー表示編集動作に係るフローチャートを示す図である。
【図８】フリー表示編集動作実行中にユーザによって行われるタッチパネル上の操作を説明する図である。
【図９】フリー表示編集動作実行中にユーザによって行われるタッチパネル上の操作を説明する図である。
【図１０】フリー表示編集動作実行中にユーザによって行われるタッチパネル上の操作を説明する図である。
【図１１】フリー表示編集動作実行中にユーザによって行われるタッチパネル上の操作を説明する図である。
【図１２】フリー表示編集動作の実行によって表示部に表示された表示画面の一例を示す図である。
【図１３】高精彩合成画像作成動作に係るフローチャートを示す図である。
【図１４】付属情報の一例を示す図である。
【図１５】付属情報と合成画像の関係を説明する図である。
【図１６】表示形式変更動作を説明する図である。
【図１７】サムネイル表示変更動作が行われた後の表示部の表示画面を示す図である。
【図１８】画像再生モード時の表示画面の一例を示す図である。
【図１９】切り替えられた音楽再生モードに応じた表示画面の一例を示す図である。
【図２０】画面切り替えに係る動作を含む表示動作を示すフローチャートである。
【図２１】外枠が赤色で表示された画像機能画面の一例を示す図である。
【図２２】記録媒体の記憶領域の使用量をインジケータで示したときの画像機能画面の一例を示す図である。
【図２３】記録媒体の記憶領域の使用量を仮想十字ボタンの色で示したときの画像機能画面の一例を示す図である。
【図２４】上下キーによる画像又は音楽（曲）送り数を設定するときに表示される表示画面の一例を示す図である。
【図２５】再生時の画像又は音楽（曲）送り動作を示すフローチャートである。
【図２６】Ｓ４２の送り数設定処理を示すフローチャートである。
【符号の説明】
【０１２６】
１      撮像部
２      画像処理部
３      システム制御部
４      圧縮伸長部
５      表示制御部
６      表示部
７      操作部
８      外部機器接続部
９      記憶部
１０    一時記憶部
１１    バス
１２    順位決定部
１３    表示切替部
１４    タッチパネル
１５    座標検出部
１６    ドラッグ量検出部
１７    保存部
１８    回転アイコン
１９，２０  表示画面
２１    十字キー
２２    決定ボタン
２３    枠
２４    インジケータ
２５    三角マーク
【図１】
2006084735.tif 000003
【図２】
2006084735.tif 000004
【図３】
2006084735.tif 000005
【図４】
2006084735.tif 000006
【図５】
2006084735.tif 000007
【図６】
2006084735.tif 000008
【図７】
2006084735.tif 000009
【図８】
2006084735.tif 000010
【図９】
2006084735.tif 000011
【図１０】
2006084735.tif 000012
【図１１】
2006084735.tif 000013
【図１２】
2006084735.tif 000014
【図１３】
2006084735.tif 000015
【図１４】
2006084735.tif 000016
【図１５】
2006084735.tif 000017
【図１６】
2006084735.tif 000018
【図１７】
2006084735.tif 000019
【図１８】
2006084735.tif 000020
【図１９】
2006084735.tif 000021
【図２０】
2006084735.tif 000022
【図２１】
2006084735.tif 000023
【図２２】
2006084735.tif 000024
【図２３】
2006084735.tif 000025
【図２４】
2006084735.tif 000026
【図２５】
2006084735.tif 000027
【図２６】
2006084735.tif 000028